(57)【要約】アクセス端末は、ＰＰＰセッションを維持するための拡張時間期間を容易にするように適合される。一例に従って、アクセス端末は、拡張時間期間によって維持されたＰＰＰセッションを確立するためにネットワーク・エンティティと通信することができる。拡張時間期間は、ＰＰＰセッションを維持するためのデフォルトの時間期間とは異なる（例えば、上回るまたは下回る）ことができる。例えば、アクセス端末は、ＰＰＰ接続を含むＰＰＰセッションを確立し得る。アクセス端末は、また、ＰＰＰセッションを維持するための拡張時間期間の設定を引き起こすネットワーク・エンティティに継続インジケータを送信し得る。ネットワーク・エンティティは、継続インジケータを受信し得、それに応じて、ＰＰＰセッションを維持するための異なる時間期間（例えば、拡張時間期間）を使用し得る。他の態様、実施形態、および特徴もまた、含まれる。
2015508965.tif 000002
【特許請求の範囲】
【請求項１】
アクセス端末であって、
通信用インターフェースと、
記憶媒体と、
前記通信用インターフェースおよび前記記憶媒体に結合された処理回路と、なお、前記処理回路は、ポイント・ツー・ポイント・プロトコル（ＰＰＰ）セッションを維持するためのデフォルトの時間期間を上回る拡張時間期間によって維持された前記ＰＰＰセッションを確立するために前記通信用インターフェース経由で通信するように適合される、
を備える、アクセス端末。
【請求項２】
前記処理回路は、前記ＰＰＰセッションを維持するための前記拡張時間期間の設定を引き起こす継続インジケータを前記通信用インターフェース経由で送信するように適合される、請求項１に記載のアクセス端末。
【請求項３】
前記継続インジケータは、黙示的な継続インジケータを備える、請求項２に記載のアクセス端末。
【請求項４】
前記継続インジケータは、明示的な継続インジケータを備える、請求項２に記載のアクセス端末。
【請求項５】
前記継続インジケータは、常時オンのインジケータを備える、請求項２に記載のアクセス端末。
【請求項６】
前記処理回路は、前記拡張時間期間中に、パワーダウン登録の送信を省略するようにさらに適合される、請求項１に記載のアクセス端末。
【請求項７】
前記処理回路は、前記拡張時間期間の継続期間を取り決めるようにさらに適合される、請求項１に記載のアクセス端末。
【請求項８】
アクセス端末上で使用可能な方法であって、
ポイント・ツー・ポイント・プロトコル（ＰＰＰ）接続を含むＰＰＰセッションを確立することと、
前記ＰＰＰセッションを維持するための拡張時間期間の設定を引き起こす継続インジケータを送信することと、なお、前記拡張時間期間は、前記ＰＰＰセッションを維持するための典型的な時間期間を上回る、
を備える、方法。
【請求項９】
前記継続インジケータを送信することは、前記ＰＰＰセッションを確立することより前に前記継続インジケータを送信することを備える、請求項８に記載の方法。
【請求項１０】
前記継続インジケータを送信することは、前記ＰＰＰセッションの確立中に前記継続インジケータを送信することを備える、請求項８に記載の方法。
【請求項１１】
前記継続インジケータを送信することは、明示的な継続インジケータを送信することを備える、請求項８に記載の方法。
【請求項１２】
前記継続インジケータを送信することは、黙示的な継続インジケータを送信することを備える、請求項８に記載の方法。
【請求項１３】
前記拡張時間期間中にパワーダウン登録の送信を省略することをさらに備える、請求項８に記載の方法。
【請求項１４】
前記ＰＰＰセッションを維持するための典型的な時間期間を上回る間隔で前記ＰＰＰ接続を介して、および前記ＰＰＰセッションを再確立することなしに、通信することをさらに備える、請求項８に記載の方法。
【請求項１５】
前記拡張時間期間の継続期間を取り決めることをさらに備える、請求項８に記載の方法。
【請求項１６】
アクセス端末であって、
ポイント・ツー・ポイント・プロトコル（ＰＰＰ）接続を含むＰＰＰセッションを確立するための手段と、
前記ＰＰＰセッションを維持するための拡張時間期間の設定を引き起こす継続インジケータを送信するための手段と、なお、前記拡張時間期間は、前記ＰＰＰセッションを維持するための典型的な時間期間を上回る、
を備える、アクセス端末。
【請求項１７】
前記継続インジケータは、黙示的な継続インジケータを備える、請求項１６に記載のアクセス端末。
【請求項１８】
前記継続インジケータは、明示的な継続インジケータを備える、請求項１６に記載のアクセス端末。
【請求項１９】
前記継続インジケータは、常時オンのインジケータを備える、請求項１６に記載のアクセス端末。
【請求項２０】
前記拡張時間期間中にパワーダウン登録の送信を省略するための手段をさらに備える、請求項１６に記載のアクセス端末。
【請求項２１】
前記拡張時間期間の継続期間を取り決めるための手段をさらに備える、請求項１６に記載のアクセス端末。
【請求項２２】
コンピュータ可読記憶媒体であって、
ポイント・ツー・ポイント・プロトコル（ＰＰＰ）セッションを確立することと、
前記ＰＰＰセッションを維持するための拡張時間期間の設定を引き起こす継続インジケータを送信することと、なお、前記拡張時間期間は、前記ＰＰＰセッションを維持するための典型的な時間期間を実質的に上回る、
をコンピュータに行わせるプログラミングを備える、コンピュータ可読記憶媒体。
【請求項２３】
前記継続インジケータは、黙示的な継続インジケータまたは明示的な継続インジケータを備える、請求項２２に記載のコンピュータ可読記憶媒体。
【請求項２４】
前記拡張時間期間中にパワーダウン登録の送信を省略することをコンピュータに行わせるプログラミングをさらに備える、請求項２２に記載のコンピュータ可読記憶媒体。
【請求項２５】
前記拡張時間期間の継続期間を取り決めることをコンピュータに行わせるプログラミングをさらに備える、請求項２２に記載のコンピュータ可読記憶媒体。
【請求項２６】
ネットワーク・エンティティであって、
通信用インターフェースと、
記憶媒体と、
前記通信用インターフェースおよび前記記憶媒体に結合された処理回路と、を備え、
前記処理回路は、
ポイント・ツー・ポイント・プロトコル（ＰＰＰ）セッションを維持するための拡張時間期間の設定を引き起こすように適合された継続インジケータを前記通信用インターフェース経由で受信し、なお、前記拡張時間期間は、前記ＰＰＰセッションを維持するためのデフォルトの時間期間を上回る、
前記拡張時間期間によって維持されたＰＰＰセッションを確立するために前記通信用インターフェース経由で通信するように適合される、ネットワーク・エンティティ。
【請求項２７】
前記継続インジケータは、黙示的な継続インジケータを備える、請求項２６に記載のネットワーク・エンティティ。
【請求項２８】
前記継続インジケータは、明示的な継続インジケータを備える、請求項２６に記載のネットワーク・エンティティ。
【請求項２９】
前記継続インジケータは、常時オンのインジケータを備える、請求項２６に記載のネットワーク・エンティティ。
【請求項３０】
前記処理回路は、
前記確立されたＰＰＰセッションに関連付けられたアクセス端末からパワーダウン登録メッセージを前記通信用インターフェース経由で受信し、なお、前記パワーダウン登録メッセージは、前記拡張時間期間中に受信される、
前記ＰＰＰセッションに関する前記受信されたパワーダウン登録メッセージを無視するようにさらに適合される、請求項２６に記載のネットワーク・エンティティ。
【請求項３１】
前記処理回路は、前記拡張時間期間の継続期間を取り決めるようにさらに適合される、請求項２６に記載のネットワーク・エンティティ。
【請求項３２】
ネットワーク・エンティティ上で使用可能な方法であって、
ポイント・ツー・ポイント・プロトコル（ＰＰＰ）セッションを維持するための拡張時間期間の設定を引き起こすように適合された継続インジケータを受信することと、なお、前記拡張時間期間は、前記ＰＰＰセッションを維持するための典型的な時間期間を上回る、
前記拡張時間期間に従って維持されたＰＰＰ接続を含む前記ＰＰＰセッションを確立することと
を備える、方法。
【請求項３３】
前記継続インジケータを受信することは、
前記ＰＰＰセッションを確立することより前に前記継続インジケータを受信することを備える、請求項３２に記載の方法。
【請求項３４】
前記継続インジケータを受信することは、
前記ＰＰＰセッションの確立中に前記継続インジケータを受信することを備える、請求項３２に記載の方法。
【請求項３５】
前記継続インジケータを受信することは、
明示的な継続インジケータを受信することを備える、請求項３２に記載の方法。
【請求項３６】
前記継続インジケータを受信することは、
黙示的な継続インジケータを受信することを備える、請求項３２に記載の方法。
【請求項３７】
前記確立されたＰＰＰセッションに関連付けられたアクセス端末からパワーダウン登録メッセージを受信することと、なお、前記パワーダウン登録メッセージは、前記拡張時間期間中に受信される、
前記ＰＰＰセッションに適用されたとして前記受信されたパワーダウン登録を無視することと
をさらに備える、請求項３２に記載の方法。
【請求項３８】
前記拡張時間期間の継続期間を取り決めることをさらに備える、請求項３２に記載の方法。
【請求項３９】
ネットワーク・エンティティであって、
ポイント・ツー・ポイント・プロトコル（ＰＰＰ）セッションを維持するための拡張時間期間の設定を引き起こすように適合された継続インジケータを受信するための手段と、なお、前記拡張時間期間は、前記ＰＰＰセッションを維持するための典型的な時間期間を上回る、
前記拡張時間期間に従って維持されたＰＰＰ接続を含む前記ＰＰＰセッションを確立するための手段と
を備える、ネットワーク・エンティティ。
【請求項４０】
前記継続インジケータは、黙示的な継続インジケータを備える、請求項３９に記載のネットワーク・エンティティ。
【請求項４１】
前記継続インジケータは、明示的な継続インジケータを備える、請求項３９に記載のネットワーク・エンティティ。
【請求項４２】
前記継続インジケータは、常時オンのインジケータを備える、請求項３９に記載のネットワーク・エンティティ。
【請求項４３】
前記確立されたＰＰＰセッションに関連付けられたアクセス端末からパワーダウン登録メッセージを受信するための手段と、なお、前記パワーダウン登録メッセージは、前記拡張時間期間中に受信される、
前記ＰＰＰセッションに関連する前記受信されたパワーダウン登録を無視するための手段と
をさらに備える、請求項３９に記載のネットワーク・エンティティ。
【請求項４４】
前記拡張時間期間の継続期間を取り決めるための手段をさらに備える、請求項３９に記載のネットワーク・エンティティ。
【請求項４５】
コンピュータ可読記憶媒体であって、
ポイント・ツー・ポイント・プロトコル（ＰＰＰ）セッションを維持するための拡張時間期間の設定を引き起こすように適合された継続インジケータを受信することと、なお、前記拡張時間期間は、前記ＰＰＰセッションを維持するための典型的な時間期間を上回る、
前記拡張時間期間に従って維持されたＰＰＰ接続を含む前記ＰＰＰセッションを確立することと
をコンピュータに行わせるプログラミングを備える、コンピュータ可読記憶媒体。
【請求項４６】
前記継続インジケータは、黙示的な継続インジケータまたは明示的な継続インジケータを備える、請求項４５に記載のコンピュータ可読記憶媒体。
【請求項４７】
前記確立されたＰＰＰセッションに関連付けられたアクセス端末からパワーダウン登録メッセージを受信することと、なお、前記パワーダウン登録メッセージは、前記拡張時間期間中に受信される、
前記ＰＰＰセッションに適用されたとして前記受信されたパワーダウン登録を無視することと
をコンピュータに行わせるプログラミングをさらに備える、請求項４５に記載のコンピュータ可読記憶媒体。
【請求項４８】
前記拡張時間期間の継続期間を取り決めることをコンピュータに行わせるプログラミングをさらに備える、請求項４５に記載のコンピュータ可読記憶媒体。
【発明の詳細な説明】
【優先権の主張】
【０００１】
本特許出願は、２０１２年２月３日に出願され、”Apparatus and Method of Persistent PPP”と題し、この譲受人に譲渡され、全ての適用可能な目的のために、および以下に十分に記載されているかのように、ここでの参照によって、ここに明確に組み込まれる、米国仮特許出願番号第６１/５９４,９１４号の優先権を主張する。
【技術分野】
【０００２】
本明細書に記載された技術は、一般的に無線通信に関し、より具体的には、無線通信システムにおいてポイント・ツー・ポイント・プロトコル（「ＰＰＰ」）セッションを維持するための拡張時間期間（extended time periods）を容易にするための方法および装置に関する。本発明の実施形態は、エネルギーを節約する方法において電力リソースの効率的利用を可能にし、提供するために使用されることができる。
【背景技術】
【０００３】
無線通信システムは、音声、データ、等のような、様々な種類の通信コンテンツを提供するために広く展開されている。これらのシステムは、（例えば、帯域幅および送信電力のような）利用可能なシステム・リソースを共有することによって複数のユーザとの通信をサポートすることができる多元接続システムであり得る。そのような多元接続システムの例は、（例えば、ｃｄｍａ２０００ １ｘ（ＩＳ−２０００）のような）コード分割多元接続（ＣＤＭＡ）システム、時分割多元接続（ＴＤＭＡ）システム、周波数分割多元接続（ＦＤＭＡ）システム、３ＧＰＰロング・ターム・エボリューション（ＬＴＥ）システム、および直交周波数分割多重接続（ＯＦＤＭＡ）システムを含む。
【０００４】
様々な装置は、そのような無線通信システムを利用するように適合される。そのような装置は、一般的にアクセス端末と称され得る。いくつかのアクセス端末は、（ある時はマシン・タイプ通信またはＭＴＣとも称される）マシン同士（Ｍ２Ｍ）の通信に適合されたアクセス端末等のように固定され得る、または少なくとも実質的に固定され得る。Ｍ２Ｍ適合アクセス端末は、少なくとも実質的にユーザの相互作用なしで動作するように適合されたアクセス端末を含み得る。そのようなＭ２Ｍ適合アクセス端末は、バッテリーのような、限られた電力リソースで動作し得る。
【発明の概要】
【０００５】
以下は、説明された技術の基本的な理解を提供するために本開示のいくつかの態様を要約するものである。この概要は、本開示の考えられるすべての特徴の広範な概観ではなく、本開示のすべての態様の重要な要素または決定的な要素を特定することも、本開示の態様のいずれかまたはすべての範囲を線引きすることも意図されていない。その唯一の目的は、後に提示されるより詳細な説明への前置きとして、要約形式で本開示の１つ以上の態様のいくつかの概念を提示することである。
【０００６】
いくつかの例において、電力を節約し、アクセス端末の有限電力（limited power source）の作動期間（operating life）を延ばすのに役に立つ特徴は、有益であり得る。本開示の様々な特徴および態様は、ＰＰＰセッションを維持するための拡張時間期間を容易にすることによってアクセス端末における電力節約を容易にするように適合される。効率的な手法で電力を使用することによって、本発明の実施形態は、有限電力の補充を必要とすることなく長期間動作することができるだけでなく、電力節約効果も保証する。
【０００７】
本開示の少なくとも１つの態様によると、アクセス端末は、処理回路に結合された通信用インターフェース（communications interface）および記憶媒体を含み得る。処理回路は、ポイント・ツー・ポイント・プロトコル（ＰＰＰ）セッションを維持するためのデフォルトの時間期間を上回る拡張時間期間によって維持されたＰＰＰセッションを確立するために通信用インターフェース経由で通信するように適合され得る。
【０００８】
さらなる態様は、アクセス端末上で使用可能な方法および／またはそのような方法を実行する手段を含むアクセス端末を提供する。そのような方法の１つ以上の例は、ポイント・ツー・ポイント・プロトコル（ＰＰＰ）接続を含むＰＰＰセッションを確立することを含み得る。継続インジケータ（persistence indicator）は、ＰＰＰセッションを維持するための拡張時間期間の設定を引き起こすように送信され、ここで、拡張時間期間は、ＰＰＰセッションを維持するための典型的な時間期間を上回る。
【０００９】
また、さらなる態様は、アクセス端末のような、コンピュータ上で動作可能なプログラミングを備えるコンピュータ可読記憶媒体を含む。１つ以上の例によると、そのようなプログラミングは、コンピュータに、ポイント・ツー・ポイント・プロトコル（ＰＰＰ）セッションを確立させるために適合され得る。プログラミングは、コンピュータに、ＰＰＰセッションを維持するための拡張時間期間の設定を引き起こす継続インジケータを送信させるためにさらに適合され、ここで、拡張時間期間は、ＰＰＰセッションを維持するための典型的な時間期間を実質的に上回る。
【００１０】
本開示のさらなる態様は、ネットワーク・エンティティを提供し、それは、処理回路に結合された通信用インターフェースおよび記憶媒体を含み得る。処理回路は、ポイント・ツー・ポイント・プロトコル（ＰＰＰ）セッションを維持するための拡張時間期間の設定を引き起こすように適合された継続インジケータを、通信用インターフェース経由で、受信するように適合され、ここで、拡張時間期間は、ＰＰＰセッションを維持するためのデフォルトの時間期間を上回る。処理回路は、拡張時間期間によって維持されたＰＰＰセッションを確立するために通信用インターフェース経由で通信するようにさらに適合され得る。
【００１１】
また、さらなる態様は、ネットワーク・エンティティ上で使用可能な方法および／またはそのような方法を実行する手段を含むネットワーク・エンティティを提供する。そのような方法の１つ以上の例は、ポイント・ツー・ポイント・プロトコル（ＰＰＰ）セッションを維持するための拡張時間期間の設定を引き起こすように適合された継続インジケータを受信することを含み、ここで、拡張時間期間は、ＰＰＰセッションを維持するための典型的な時間期間を上回る。拡張時間期間に従って維持されたＰＰＰ接続を含むＰＰＰセッションが確立され得る。
【００１２】
本開示の少なくとも１つのさらなる態様は、ネットワーク・エンティティのような、コンピュータ上で動作可能なプログラミングを備えるコンピュータ可読記憶媒体を含む。１つ以上の例によると、そのようなプログラミングは、コンピュータに、ポイント・ツー・ポイント・プロトコル（ＰＰＰ）セッションを維持するための拡張時間期間の設定を引き起こすように適合された継続インジケータを受信させるために適合され、ここで、拡張時間期間は、ＰＰＰセッションを維持するための典型的な時間期間を上回る。プログラミングは、コンピュータに、拡張時間期間に従って維持されたＰＰＰ接続を含むＰＰＰセッションを確立させるためにさらに適合され得る。
【００１３】
本発明の他の態様、特徴、および実施形態は、添付図面とともに、以下の本発明の具体的な実施例の説明を検討すると、当業者には明らかになるだろう。本発明の特徴は、以下のある特定の実施形態および図に関連して説明され得るが、本発明の全ての実施形態は、本願に説明された有利な特徴の１つ以上を含むことができる。言い換えれば、１つ以上の実施形態は、ある特定の有利な特徴を有しているとして説明され得るが、そのような特徴の１つ以上は、また、本願に説明された発明の様々な実施形態に従って使用され得る。同様の方法で、例示的な実施形態は、装置、システム、または方法の実施形態として以下に記載され得るが、そのような例示的な実施形態は、様々な装置、システム、および方法で実現され得ると理解されるべきである。
【図面の簡単な説明】
【００１４】
【図１】図１は、本開示の１つ以上の態様がアプリケーションを見つけ得るネットワーク環境のブロック図である。
【図２】図２は、いくつかの実施形態に従って図１の無線通信システムのコンポーネント選定を例示するブロック図である。
【図３】図３は、いくつかの実施形態に従ってＰＰＰセッションを維持するための拡張時間期間を使用する例を例示するフローチャートである。
【図４】図４は、いくつかの実施形態に従ってアクセス端末のコンポーネント選定を例示するブロック図である。
【図５】図５は、いくつかの実施形態に従ってアクセス端末上で使用可能な方法を例示するブロック図である。
【図６】図６は、いくつかの実施形態に従ってネットワーク・エンティティのコンポーネント選定を例示するブロック図である。
【図７】図７は、いくつかの実施形態に従ってネットワーク・エンティティ上で使用可能な方法を例示するフローチャートである。
【発明の詳細な説明】
【００１５】
添付図面に関連して以下に述べられる説明は、さまざまな構成の説明として意図されたものであり、本願に記載された概念および特徴が実現され得る唯一の構成を表すことを意図されたものではない。以下の説明は、様々な概念の完全な理解を提供する目的のために、具体的な詳細を含む。しかしながら、これらの概念が、これらの具体的な詳細なしで実現され得ることは、当業者にとって明らかであろう。いくつかの例では、記載された概念および特徴をあいまいにすることを避けるために、周知の回路、構造、技術、およびコンポーネントが、ブロック図の形態で示される。
【００１６】
本開示全体を通して提示される様々な概念は、幅広く様々な遠隔通信システム、ネットワーク・アーキテクチャ、および通信規格にわたって実現され得る。本開示のある特定の態様は、符号分割多元接続（ＣＤＭＡ）システム（例えば、ｃｄｍａ２０００ １ｘ（ＩＳ−２０００）、Evolution-Data Optimized, Evolution-Data only（EV-DO））プロトコルおよびシステムのために以下に記載され、関連用語は以下の説明の大半で見つけられ得る。しかしながら、当業者であれば、本開示の１つ以上の態様が１つ以上の他の無線通信プロトコルおよびシステムにおいて使用され、含まれ得ることを理解するだろう。
【００１７】
図１を参照すると、本開示の１つ以上の態様がアプリケーションを見つけ得るネットワーク環境のブロック図が例示されている。無線通信システム１００は、１つ以上の基地局１０２とアクセス端末１０４との間の無線通信を容易にするように適合される。基地局１０２およびアクセス端末１０４は、無線信号を通じて相互に作用するように適合され得る。いくつかの例では、そのような無線相互作用は、複数の搬送波（異なる周波数の波形信号）で起こり得る。各変調信号は、制御情報（例えば、パイロット信号）、オーバヘッド情報、データ、等を搬送し得る。
【００１８】
基地局１０２は、基地局アンテナ経由でアクセス端末１０４と無線で通信することができる。基地局１０２は、それぞれ、無線通信システム１００への（１つ以上のアクセス端末１０４の）無線接続性を容易にするように適合される装置として一般的に実現され得る。そのような基地局１０２は、また、当業者によって、基地トランシーバ局（ＢＴＳ）、無線基地局、無線トランシーバ、トランシーバ機能、ベーシック・サービス・セット（ＢＳＳ：basic service set ）、拡張サービス・セット（ＥＳＳ：extended service set）、ノードＢ、フェムト・セル、ピコ・セル、または何らかの他の適切な専門用語で称され得る。
【００１９】
基地局１０２は、基地局制御装置の制御の下で、アクセス端末１０４と通信するように構成される（図２参照）。基地局１０２サイトの各々は、それぞれの地理領域のための通信カバレッジを提供することができる。ここでの各基地局１０２のカバレッジ・エリア１０６は、セル１０６−ａ、１０６−ｂ、または１０６−ｃとして特定される。基地局１０２のカバレッジ・エリア１０６は、（図示されていないが、カバレッジ・エリアの一部のみを構成する）セクタに分けられ得る。様々な例において、システム１００は、異なる種類の基地局１０２を含み得る。
【００２０】
１つ以上のアクセス端末１０４は、カバレッジ・エリア１０６全体に散在し得る。各アクセス端末１０４は、１つ以上の基地局１０２と通信し得る。アクセス端末１０４は、一般的に、無線信号を通じて１つ以上の他の装置と通信する１つ以上の装置を含み得る。そのようなアクセス端末１０４は、また、当業者によって、ユーザ機器（ＵＥ）、モバイル局（ＭＳ）、サブスクライバ局、モバイル・ユニット、サブスクライバ・ユニット、無線ユニット、遠隔ユニット、モバイル・デバイス、無線デバイス、無線通信デバイス、遠隔デバイス、モバイル・サブスクライバ局、移動端末、無線端末、遠隔端末、ハンドセット、端末、ユーザ・エージェント、モバイル・クライアント、クライアント、または何らかの他の適切な専門用語で称され得る。アクセス端末１０４は、移動端末および／または少なくとも実質的に固定端末を含み得る。アクセス端末１０４の例は、携帯電話、ポケットベル、無線モデム、携帯情報端末、個人情報マネージャ（ＰＩＭ）、個人のメディア・プレーヤ、パームトップ・コンピュータ、ラップトップ・コンピュータ、タブレット・コンピュータ、テレビ、電化製品、電子ブックリーダー、デジタル・ビデオ・レコーダ（ＤＶＲ）、娯楽端末、センサまたはメータ、計算装置、マシン同士（Ｍ２Ｍ）の装置、および／または、無線またはセルラネットワークを通じて少なくとも部分的に通信する他の通信／計算装置を含む。
【００２１】
図２を参照すると、少なくとも１つの例に従って、無線通信システム１００のコンポーネント選定を例示するブロック図が図示されている。例示されているように、基地局１０２は、少なくとも無線アクセス・ネットワーク（ＲＡＮ）２０２の一部として含まれる。無線アクセス・ネットワーク（ＲＡＮ）２０２は、一般的に、１つ以上のアクセス端末１０４と、コア・ネットワーク２０４に含まれたネットワーク・エンティティのような、１つ以上の他のネットワーク・エンティティとの間のトラフィックおよびシグナリングを管理するように適合される。様々な実現に従って、無線アクセス・ネットワーク２０２は、当業者によって、基地局サブシステム（ＢＳＳ）、アクセス・ネットワーク、ＧＳＭ（登録商標） Ｅｄｇｅ無線アクセス・ネットワーク（ＧＥＲＡＮ）、ＵＭＴＳ地上波無線アクセス・ネットワーク（ＵＴＲＡＮ）、等と称され得る。
【００２２】
１つ以上の基地局１０２に加えて、無線アクセス・ネットワーク２０２は、当業者によって無線ネットワーク制御装置（ＲＮＣ）とも称され得る、基地局制御装置（ＢＳＣ）２０６を含むことができる。基地局制御装置２０６は、一般的に、基地局制御装置２０６に接続される１つ以上の基地局１０２に関連づけられた１つ以上のカバレッジ・エリア内の無線接続の確立、解放（release）、および維持管理に関与する。基地局制御装置２０６は、コア・ネットワーク２０４の１つ以上のノードまたはエンティティに通信可能に結合されることができる。
【００２３】
コア・ネットワーク２０４は、無線アクセス・ネットワーク２０２経由で接続されるアクセス端末１０４に様々なサービスを提供する無線通信システム１００の一部である。コア・ネットワーク２０４は、ＭＳＣ／ＶＬＲ２０８として識別される、移動交換局（ＭＳＣ）およびビジター位置登録（ＶＬＲ：visitor location register）だけでなく、パケット・データ・サービス・ノード（ＰＤＳＮ）２１０を含み得る。他のネットワーク・エンティティもまた、含まれ得る。アクセス端末１０４は、ＭＳＣ／ＶＬＲ２０８経由で公衆交換電話網（ＰＳＴＮ）２１２へのアクセス、およびＰＤＳＮ２１０経由でＩＰネットワーク２１４へのアクセスを取得することができる。
【００２４】
アクセス端末１０４が無線通信システム１００内で動作するときに、アクセス端末１０４は、アクセス端末１０４と、ＰＤＳＮ２１０のようなネットワーク・エンティティとの間の直接接続を提供するデータ・リンクを介して通信するためのポイント・ツー・ポイント・プロトコル（ＰＰＰ）セッションを使用し得る。少なくとも一例において、ＰＤＳＮ２１０は、アクセス端末１０４とＩＰネットワーク２１４内のサーバとの間のポイント・ツー・ポイント・プロトコル（ＰＰＰ）通信を容易にし得る。ポイント・ツー・ポイント・プロトコル（ＰＰＰ）は、ポイント・ツー・ポイント・リンクを介してマルチプロトコル・データグラムを移送する方法を特定し、それは、１９９４年７月に出版された「ポイント・ツー・ポイント・プロトコル（ＰＰＰ）」と題された、コメント要求１６６１（ＲＦＣ １６６１）に詳しく記載されている。
【００２５】
無線通信システム１００は、一般的に、ネットワーク・リソースの使用を保持する（preserve）または減らすために、通信動作に基づいて限られた時間だけＰＰＰセッションを維持する。いくつかの例において、アクセス端末１０４は、比較的まれな間隔で連続して通信し得る。例えば、アクセス端末１０４は、無線通信システム１００がＰＰＰセッションを維持する時間を上回る間隔で通信し得る。そのような例において、アクセス端末１０４は、以前のＰＰＰセッションが非動作により削除される（taken down）ため、それが通信する度に新しいＰＰＰセッションを確立する必要があり得る。しかしながら、新しいＰＰＰセッションの確立は、比較的電力消費が激しく（power intensive）あり得る。アクセス端末１０４が、例えば、バッテリーのような限られた電力リソースを有する場合、ＰＰＰセッションをセットアップするために消費される電力は、その限られた電力リソースの作動時間を著しく減らし得る。
【００２６】
比較的まれにアクセス通信システム１００を介して通信するアクセス端末１０４の一例は、マシン同士（Ｍ２Ｍ）の使用可能なアクセス端末１０４を含み得る。Ｍ２Ｍの使用可能なアクセス端末１０４は、少なくとも実質的にユーザの相互作用なしに、無線通信システム１００を介して１つ以上の装置と無線で通信するように適合される。Ｍ２Ｍアクセス端末１０４は、（例えば、温度をキャプチャするセンサ、在庫水準をキャプチャするメータ、等のような）イベントをキャプチャするように適合された通信装置であり得、イベントデータが（例えば、温度を低下させる／上昇させる必要がある、アイテムを補充する必要がある、等のような）意味ある情報に変換されることができる場合、それは、（例えば、ＩＰネットワーク２１４内のＭ２Ｍサーバのような）アプリケーションに、（例えば、ＰＰＰ接続経由で）無線通信システム１００を通じて中継される。限定ではなく例として、Ｍ２Ｍアクセス端末１０４は、サーモスタット、水道メータ、スプリンクラー・システム、スマート・メータ、電化製品、等を含み得る。
【００２７】
本開示の１つ以上の態様に従って、アクセス端末１０４および（例えば、基地局１０２、ＰＤＳＮ２１０、等のような）ネットワーク・エンティティは、無線通信システム内で動作するアクセス端末のためのポイント・ツー・ポイント・プロトコル（ＰＰＰ）セッションの管理を改善するように適合される。例えば、本開示のアクセス端末およびネットワーク・エンティティは、ＰＰＰセッションを維持するための拡張時間期間を使用するために、継続機構を使用するように適合され得る。
【００２８】
図３は、ＰＰＰセッションを維持するための拡張時間期間を使用する例を例示するフローチャートである。この例において、アクセス端末１０４は、無線ネットワーク・アクセスを受信するために１つ以上のネットワーク・エンティティ３０２と通信することができる。限定ではなく例として、ネットワーク・エンティティ３０２は、（例えば、図１および２の基地局１０２のような）基地局、（例えば、図２のＰＤＳＮ２１０のような）パケット・データ・サービス・ノード、（例えば、図２のＢＳＣ２０６のような）基地局制御装置のような任意の種類のネットワーク・コンポーネント、および／または、アクセス端末１０４が通信することを可能にすることができる、および／またはＰＰＰセッションを確立および維持することができる他のネットワーク・コンポーネントのうちの１つ以上を含み得る。
【００２９】
例示されるように、アクセス端末１０４およびネットワーク・エンティティ３０２は、ＰＰＰセッション３０４を確立するために通信し得る。３０４において確立されたＰＰＰセッションは、（例えば、図２のＩＰネットワーク２１４のような）ＩＰネットワーク内のサーバに対するアクセス端末１０４のためのＰＰＰ接続を容易にし得る。いくつかの例において、ＰＰＰセッションの確立は、アクセス端末１０４によって開始され得るが、他の例では、ＰＰＰセッションの確立は、ネットワーク・エンティティ３０２によって開始され得る。ＰＰＰの確立手順は、アクセス端末１０４のデータ・リンクおよび認証を確立することを含み、アクセス端末１０４とサーバのような別のエンティティとの間でデータ・パケットを送信するためのＰＰＰ接続を含むＰＰＰセッションの作成をもたらす。ＰＰＰセッションは、サービス品質（ＱｏＳ）パラメータのような、ＰＰＰ接続を管理する（governing）様々なパラメータおよびＰＰＰセッションを維持するための時間期間を含み得る。
【００３０】
ある時点で、アクセス端末１０４は、継続インジケータ３０６をネットワーク・エンティティ３０２に伝達し得る。継続インジケータ３０６は、ＰＰＰセッションを維持するために設定される拡張時間期間を引き起こすように適合されることができる。例示された例において、継続インジケータは、ＰＰＰセッションを確立するための通信が開始された後に伝達されるものとして例示される。他の例において、継続インジケータ３０６は、ＰＰＰセッションを確立するための通信と同時に、またはＰＰＰセッションを確立する別の時間（例えば、前の時間）に伝達され得る。
【００３１】
拡張時間期間は、ＰＰＰセッションを維持するために無線通信システムによって典型的に使用される従来の、またはデフォルトの時間期間を上回るように構成される。ほんの一例として、拡張時間期間は、八（８）時間、十二（１２）時間、二十四（２４）時間、または何らかの他の時間期間であり得る。いくつかの例において、拡張時間期間は、アクセス端末１０４とネットワーク・エンティティ３０２との間で取り決められた（negotiated）時間期間であり得る。いくつかの例において、継続インジケータは、無限の時間期間として、または別途通知があるまで、拡張時間期間の設定を要求するまたは引き起こす常時オンの（always-on）インジケータを含み得る。
【００３２】
継続インジケータは、明示的なインジケータであり得る。例えば、それは、拡張時間期間を実現する明示的なコマンド、または拡張時間期間のための明示的な要求であることができる。他の例において、継続インジケータは、アクセス端末識別子またはアクセス端末１０４に対応する他の一意的な識別子のような黙示的なインジケータであり得、ここで、黙示的なインジケータは、拡張時間期間を使用するかどうか決定するために、および／またはアクセス端末１０４が拡張時間期間に認可された装置であることを確認するためにネットワーク・エンティティ３０２によって使用され得る。例えば、アクセス端末識別子またはアクセス端末１０４に対応する他の一意的な識別子は、国際移動電話加入者識別子（ＩＭＳＩ）またはネットワーク・アクセス識別子（ＮＡＩ）のような識別子を含み得るが、それに限定されない。そのような例において、ネットワーク・エンティティ３０２は、拡張時間期間がアクセス端末１０４に関連づけられたＰＰＰセッションのために使用されるべきであると決定するために識別子を使用し得る。
【００３３】
継続インジケータに応じて、拡張時間期間３０８は、アクセス端末１０４に関連づけられた１つ以上のＰＰＰセッションのために使用されることができる。従来の通信システムでは、パワーダウン登録がアクセス端末から受信された場合、ネットワークは、典型的にＰＰＰセッションを取り除くように適合され得る。本開示のいくつかの例において、拡張時間期間が継続インジケータに応じて使用された場合、アクセス端末１０４は、拡張時間期間の継続期間のためにネットワーク・エンティティ３０２にパワーダウン登録を送信することを省略または抑える３１０ように適合され得る。あるいは、または、それに加えて、ネットワーク・エンティティ３０２は、少なくともＰＰＰセッションについては、拡張時間期間中にアクセス端末１０４から受信された任意のパワーダウン登録メッセージを無視３１２するように適合されることができる。言い換えれば、ネットワーク・エンティティ３０２が登録パワーダウン登録メッセージに応答してＰＰＰセッションを解体（tear down）しないように適合されることができることを除いて、ネットワーク・エンティティ３０２は、アクセス端末１０４および／またはパワーダウン登録メッセージに対する他の従来の応答をページングすることを止めるために、受信されたパワーダウン登録メッセージを依然として処理し得る。
【００３４】
図４を参照すると、本開示の少なくとも１つの例に従って、アクセス端末４００のコンポーネント選定を例示するブロック図が示される。アクセス端末４００は、通信インターフェース４０４および記憶媒体４０６に結合される、または通信インターフェース４０４および記憶媒体４０６との電気通信中に置かれる処理回路４０２を含み得る。さらなる、または異なるコンポーネントが、様々な実施形態に従って含まれ得る。
【００３５】
処理回路４０２は、データを獲得、処理、および／または送信し、データ・アクセスおよびデータ記憶を制御し、コマンドを発行し、他の所望の動作を制御するように配置される。処理回路４０２は、少なくとも１つの例において、適当なメディアによって提供される所望のプログラミングを実現するように適合された回路を含み得る。例えば、処理回路４０２は、１つ以上のプロセッサ、１つ以上の制御装置、および／または実行可能なプログラミングを実行するように構成された他の構造として実現され得る。処理回路４０２の例は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）、または他のプログラマブル論理コンポーネント、離散ゲートまたはトランジスタ論理、離散ハードウェア・コンポーネント、または、本明細書に記載された機能を実行するよう設計されたこれらの任意の組み合わせを含み得る。汎用プロセッサは、マイクロプロセッサだけでなく、任意の従来のプロセッサ、制御装置、マイクロコントローラ、またはステート・マシン（state machine）を含み得る。処理回路４０２は、ＤＳＰとマクロプロセッサ、いくつかのマイクロプロセッサ、ＤＳＰコアに連結した１つ以上のマイクロプロセッサ、ＡＳＩＣとマイクロプロセッサ、または任意の他の様々な構成のいくつかの組み合わせのような、計算コンポーネントの組み合わせとしても実現され得る。処理回路４０２のこれらの例は、例示のためであり、本開示の範囲内の他の適切な構成もまた、考慮される。
【００３６】
処理回路４０２は、プログラミングの実行を含む処理に適合しており、それは、記憶媒体４０６に記憶され得る。本明細書で使用されるように、用語「プログラミング」は、ソフトウェア、ファームウェア、ミドルウェア、マイクロコード、ハードウェア記述言語と称されようと、それ以外の名称で称されようと、命令、命令のセット、コード、コード・セグメント、プログラム・コード、プログラム、サブプログラム、ソフトウェア・モジュール、アプリケーション、ソフトウェア・アプリケーション、ソフトウェア・パッケージ、ルーティン、サブルーティン、オブジェクト、実行ファイル、実行スレッド、プロシージャ、関数、等、を無制限に含むと広く解釈されるべきである。
【００３７】
いくつかの例において、処理回路４０２は、通信確立器（communication establisher）４０８を含み得、それは、ＰＰＰ確立モジュールおよび／または継続リクエスタ・モジュールを含み得る。通信確立器４０８は、拡張時間期間によって維持されたＰＰＰセッションを確立するように適合された電気回路および／またはプログラミング（例えば、記憶媒体４０６に記憶された通信確立動作４１４）を含み得る。少なくとも１つの例において、通信確立器４０８および記憶媒体４０６に記憶された通信確立動作４１４は、通信確立コンポーネントと総称され得る。
【００３８】
通信コンポーネントとも称され得る通信インターフェース４０４は、アクセス端末４００の無線通信を容易にするように構成される。例えば、通信用インターフェース４０４は、（例えば、ネットワーク・エンティティのような）１つ以上の無線ネットワーク装置との通信を確立し、維持するために適合された電気回路および／またはプログラミングを含み得る。通信用インターフェース４０４は、（図示されていない）１つ以上のアンテナに結合され、（例えば、１つ以上の受信機チェーンのような）少なくとも１つの受信機回路４１０および／または（例えば、１つ以上の送信機チェーンのような）少なくとも１つの送信機回路４１２含む、無線トランシーバ電気回路を含み得る。
【００３９】
記憶媒体４０６は、プロセッサ実行可能なコードまたは命令（例えば、ソフトウェア、ファームウェア）、電子データ、データベース、または他のデジタル情報のような、プログラミングを記憶するための１つ以上のコンピュータ可読、機械可読、および／またはプロセッサ可読装置を表し得る。記憶媒体４０６は、また、プログラミングを実行する場合、処理回路４０２によって操作されるデータを記憶するために使用され得る。記憶媒体４０６は、プログラミングを記憶すること、含むこと、および／または搬送することができる携帯または固定記憶装置、光学記憶装置、および様々な他の媒体を含む、汎用または特殊用途プロセッサによってアクセスされることができる任意の利用可能なメディアであり得る。限定ではなく例として、記憶媒体４０６は、（例えば、ハードディスク、フロッピー（登録商標）ディスク、磁気ストリップのような）磁気記憶装置、（例えば、コンパクト・ディスク（ＣＤ）、デジタル多用途ディスク（ＤＶＤ）のような）光学記憶媒体、スマートカード、（例えば、カード、スティック、キードライブのような）フラッシュ・メモリ・デバイス、ランダム・アクセス・メモリ（ＲＡＭ）、読取専用メモリ（ＲＯＭ）、プログラマブルＲＯＭ（ＰＲＯＭ）、消去可能なＰＲＯＭ（ＥＰＲＯＭ）、電気的に消去可能なＰＲＯＭ（ＥＥＰＲＯＭ）、レジスタ、リムーバブルディスクのような、コンピュータ可読、機械可読および／またはプロセッサ可読記憶媒体、および／またはプログラミングを記憶する他の媒体だけでなく、それらの任意の組合せを含み得る。
【００４０】
記憶媒体４０６は、処理回路４０２が記憶媒体４０６から情報を読み取り、記憶媒体４０６に情報を書き込むことができるように処理回路４０２に結合され得る。すなわち、記憶媒体４０６が処理回路４０２には不可欠である例、および／または記憶媒体４０６が（例えば、アクセス端末に常駐する、アクセス端末４００の外部にある、複数のエンティティにわたって分配された）処理回路４０２から分離している例を含む、処理回路４０２によって記憶媒体４０６が少なくともアクセス可能であるように、記憶媒体４０６は処理回路４０２に結合されることができる。
【００４１】
処理回路４０２によって実行されると、記憶媒体４０６によって記憶されたプログラミングは、処理回路４０２に、本明細書に記載された様々な機能および／または処理ステップのうちの１つ以上を実行させる。例えば、記憶媒体４０６は、ＰＰＰ確立動作および／または継続要求動作を含み得る通信確立動作４１４を含み得る。通信確立動作４１４は、本明細書に記載されたように、処理回路４０２（例えば、通信確立器４０８）に、ＰＰＰセッションおよびＰＰＰ接続の構成およびパラメータを確立および維持させ、ＰＰＰセッションのための拡張時間期間の使用を容易にさせるように適合される。よって、本開示の１つ以上の態様に従って、処理回路４０２は、本明細書に記載されたいずれかまたは全てのアクセス端末（例えば、アクセス端末１０４、アクセス端末４００）のための処理、機能、ステップ、および／またはルーティンのうちのいずれかまたは全てを（記憶媒体４０６とともに）実行するように適合される。本明細書で使用されるように、処理回路４０２に関連する用語「適合される」は、本明細書に記載された様々な特徴に従って、特定の処理、機能、ステップ、および／またはルーティンを実行するように、（記憶媒体４０６とともに）構成、使用、実現、および／またはプログラミングのうちの１つ以上が行われる処理回路４０２を称し得る。
【００４２】
図５は、アクセス端末４００のような、アクセス端末上で使用可能な方法の少なくとも１つの例を例示するフローチャートである。図４および５を参照すると、アクセス端末４００は、ステップ５０２においてＰＰＰセッションを確立することができる。例えば、通信確立動作４１４を実行する処理回路４０２（例えば、通信確立器４０８）は、ＰＰＰ接続を含むＰＰＰセッションを確立するために１つ以上のネットワーク・エンティティと通信し得る。ＰＰＰセッションの確立は、アクセス端末４００によって開始され得る、またはＰＰＰセッションの確立は、１つ以上のネットワーク・エンティティによって開始され得る。ＰＰＰの確立手順は、アクセス端末４００のデータ・リンクおよび認証を確立することを含み得、アクセス端末４００と、サーバのような別のエンティティとの間でデータを通信するためのＰＰＰ接続を含むＰＰＰセッションの作成をもたらし得る。
【００４３】
ステップ５０４において、アクセス端末４００は、ＰＰＰセッションを維持するための拡張時間期間の設定を引き起こす継続インジケータを送信し得る。例えば、通信確立動作４１４を実行する処理回路４０２（例えば、通信確立器４０８）は、通信用インターフェース４０４経由で継続インジケータを送信し得る。いくつかの例において、アクセス端末４００は、ＰＰＰセッションを確立するための通信が開始される前に、継続インジケータを送信し得る。他の例において、アクセス端末４００は、ＰＰＰセッションを確立するための通信と同時に継続インジケータを送信し得る。また、他の例において、アクセス端末４００は、ＰＰＰセッションを確立するための通信が完了した後に、継続インジケータを送信し得る。
【００４４】
拡張時間期間は、それぞれの無線通信システム内のＰＰＰセッションを維持するために典型的に使用されるデフォルトの時間期間を上回る時間期間である。いくつかの例において、アクセス端末４００は、拡張時間期間の継続期間を取り決め得る。例えば、通信確立動作４１４を実行する処理回路４０２（例えば、通信確立器４０８）は、拡張時間期間の継続期間を取り決めるために、通信用インターフェース４０４経由で１つ以上のネットワーク・エンティティと通信し得る。いくつかの例において、継続インジケータは、別途通知があるまで、無限の時間期間として拡張時間期間の設定を要求または引き起こす常時オンのインジケータを含み得る。いくつかの例において、アクセス端末４００が比較的一貫した間隔で（例えば、二十四（２４）時間ごとに）ＰＰＰ接続を介して通信するように適合された場合、拡張時間期間は通信間隔よりも長い継続期間に設定され得る。このようにして、通信がアクセス端末４００によって送信される度に、ＰＰＰセッションはリフレッシュされ、たとえＰＰＰ接続が比較的まれだとしても、ＰＰＰセッションは無期限に続き得る。
【００４５】
少なくともいくつかの例において、継続インジケータは、明示的なインジケータであり得る。明示的なインジケータは、アクセス端末４００によって送信されたメッセージであり得、拡張時間期間の実現を明示的に命令する、または実現された拡張時間期間を明示的に要求するように適合され得る。いくつかの例において、明示的なインジケータは、拡張時間期間の継続期間を決定するために、アクセス端末４００と１つ以上のネットワーク・エンティティとの間の取り決めを開始し得る。
【００４６】
１つ以上の他の例において、継続インジケータは、黙示的なインジケータであり得る。黙示的なインジケータは、典型的に他の目的に関連づけられた情報を含み得るが、それは、アクセス端末４００が拡張時間期間を使用することができるおよび／または使用すべきであることを１つ以上のネットワーク・エンティティに示すように適合される。例えば、黙示的なインジケータは、アクセス端末識別子、またはアクセス端末４００に対応する一意的な識別子（例えば、国際移動電話加入者識別子（ＩＭＳＩ）、ネットワーク・アクセス識別子（ＮＡＩ））を含み得る。そのような黙示的な識別子は、認証、認可、および課金（ＡＡＡ）サーバから取得された情報のような、装置に関連付けられ、ネットワークから取得された情報に関連づけられ得る。
【００４７】
従来の無線通信システムでは、アクセス端末が低電力状態に入っていることをシステムに通知するために、アクセス端末は、典型的にパワーダウン・メッセージ（例えば、パワーダウン登録）を送信する。いくつかの例において、拡張時間期間がＰＰＰセッションを維持するために使用された場合、アクセス端末４００は、拡張時間期間中にパワーダウン登録の送信を省略し得る。すなわち、通信確立動作４１４を実行する処理回路４０２（例えば、通信確立器４０８）は、拡張時間期間中にパワーダウン登録メッセージを送信しない。従って、アクセス端末４００は、解体されているＰＰＰセッションなしで、電力を落とすことができる。拡張時間期間が終了する前に、アクセス端末４００がＰＰＰ接続で通信する限り、ＰＰＰセッションはリフレッシュされ、拡張時間期間がリセットされる。
【００４８】
図６を参照すると、少なくとも１つの例に従って、ネットワーク・エンティティ６００のコンポーネント選定を例示するブロック図が示される。ネットワーク・エンティティ６００は、通信用インターフェース６０４および記憶媒体６０６に結合された、または通信用インターフェース６０４および記憶媒体６０６との電気通信中に置かれる処理回路６０２を含み得る。さらなる、または異なるコンポーネントが、様々な実施形態に従って含まれ得る。
【００４９】
処理回路６０２は、データを獲得、処理、および／または送信し、データ・アクセスおよびデータ記憶を制御し、コマンドを発行し、他の所望の動作を制御するように配置される。処理回路６０２は、少なくとも１つの例において、適当なメディアによって提供された所望のプログラミングを実現するように構成された電気回路を含み得、ほんの一例として、上述された処理回路４０２の例のいずれかに従って実現および／または適合され得る。いくつかの例において、処理回路６０２は、通信確立器６０８を含み得、それは、ＰＰＰ確立モジュールおよび／または継続管理モジュールを含み得る。通信確立器６０８は、拡張時間期間によって維持されるＰＰＰセッションを確立および管理するように適合された電気回路および／またはプログラミング（例えば、記憶媒体６０６に記憶された通信確立動作６１４）を含み得る。少なくとも１つの例において、通信確立器６０８および記憶媒体６０６に記憶された通信確立動作６１４は、通信確立コンポーネントと総称され得る。
【００５０】
通信コンポーネントとも称され得る通信インターフェース６０４は、ネットワーク・エンティティ６００の無線通信を容易にするように構成される。例えば、通信用インターフェース６０４は、１つ以上のアクセス端末、サーバ、および／または他のネットワーク・コンポーネントとの通信を確立し、維持するように適合される電気回路および／またはプログラミングを含み得る。通信用インターフェース６０４は、（図示されていない）１つ以上のアンテナに結合され、（例えば、１つ以上の受信機チェーンのような）少なくとも１つの受信機回路６０８および／または（例えば、１つ以上の送信機チェーンのような）少なくとも１つの送信機回路６１０含む、無線トランシーバ電気回路を含み得る。
【００５１】
記憶媒体６０６は、プロセッサ実行可能なコードまたは命令（例えば、ソフトウェア、ファームウェア）、電子データ、データベース、または他のデジタル情報のような、プログラミングを記憶するための１つ以上のコンピュータ可読、機械可読、および／またはプロセッサ可読装置を表し得る。記憶媒体６０６は、ほんの一例として、上述した記憶媒体４０６と同様の方法で構成および／または実現され得る。記憶媒体６０６は、処理回路６０２が記憶媒体６０６から情報を読み取り、記憶媒体６０６に情報を書き込むことができるように処理回路６０２に結合され得る。すなわち、記憶媒体６０６が処理回路６０２には不可欠である例、および／または記憶媒体６０６が（例えば、ネットワーク・エンティティ６００に常駐する、ネットワーク・エンティティ６００外部にある、複数のエンティティにわたって分配された）処理回路６０２から分離している例を含む、処理回路６０２によって記憶媒体６０６が少なくともアクセス可能であるように、記憶媒体６０６は処理回路６０２に結合されることができる。
【００５２】
記憶媒体４０６と同様に、記憶媒体６０６は、記憶されたプログラミングを含む。処理回路６０２によって実行されると、記憶媒体６０６によって記憶されたプログラミングは、処理回路６０２に、本明細書に記載された様々な機能および／または処理ステップのうちの１つ以上を実行させる。例えば、記憶媒体６０６は、ＰＰＰ確立動作および／または継続管理動作を含み得る通信確立動作６１４を含み得る。通信確立動作６１４は、本明細書に記載されたように、処理回路６０２（例えば、通信確立器４０８）に、ＰＰＰセッションおよびＰＰＰ接続の構成およびパラメータを確立および維持させ、アクセス端末によりＰＰＰセッションのための拡張時間期間の使用を容易にさせるように適合されることができる。よって、本開示の１つ以上の態様に従って、処理回路６０２は、本明細書に記載された、いずれかまたは全てのネットワーク・エンティティ（例えば、図１−３の基地局１０２、基地局制御装置２０６、ＰＤＳＮ２１０、および／またはネットワーク・エンティティ３０２）のための処理、機能、ステップ、および／またはルーティンのうちのいずれかまたは全てを（記憶媒体６０６とともに）実行するように適合される。本明細書で使用されるように、処理回路６０２に関連する用語「適合される」は、本明細書に記載された様々な特徴に従って、特定の処理、機能、ステップ、および／またはルーティンを実行するように、（記憶媒体６０６とともに）構成、使用、実現、および／またはプログラミングのうちの１つ以上が行われる処理回路６０２を称し得る。
【００５３】
図７は、ネットワーク・エンティティ６００のような、ネットワーク・エンティティ上で使用可能な方法の少なくとも１つの例を例示するフロー図である。図６および図７を参照すると、ネットワーク・エンティティ６００は、ステップ７０２において、ＰＰＰセッションを維持するための拡張時間期間の設定を引き起こすように適合された継続インジケータを受信し得る。例えば、通信確立動作６１４を実行する処理回路６０２（例えば、通信確立器６０８）は、通信用インターフェース６０４経由で継続インジケータを受信し得る。いくつかの例において、ネットワーク・エンティティ６００は、ＰＰＰセッションを確立するための通信が開始される前に、継続インジケータを受信し得る。他の例において、ネットワーク・エンティティ６００は、ＰＰＰセッションを確立するための通信が発生するのと同時に、継続インジケータを受信し得る。また、他の例において、ネットワーク・エンティティ６００は、ＰＰＰセッションを確立するための通信が完了した後に、継続インジケータを送信し得る。
【００５４】
上述したように、拡張時間期間は、それぞれの無線通信システム内のＰＰＰセッションを維持するために典型的に使用されるデフォルトの時間期間を上回る時間期間である。いくつかの例において、ネットワーク・エンティティ６００は、拡張時間期間の継続期間を取り決め得る。例えば、通信確立動作６１４を実行する処理回路６０２（例えば、通信確立器６０８）は、拡張時間期間の継続期間を取り決めるために、通信用インターフェース６０４経由でアクセス端末と通信し得る。いくつかの例において、継続インジケータは、別途通知があるまで、無限の時間期間として拡張時間期間の設定を要求または引き起こす常時オンのインジケータを含み得る。
【００５５】
また、上述したように、継続インジケータは、明示的なインジケータまたは黙示的なインジケータであり得る。継続インジケータが黙示的なインジケータである少なくとも１つの例において、ネットワーク・エンティティ６００は、アクセス端末が、無線通信システムから取得された情報から拡張時間期間を使用することができるか、および／または使用すべきであるかを決定し得る。ほんの一例として、ネットワーク・エンティティ６００は、認証、認可、および課金（ＡＡＡ）サーバから、アクセス端末に関連付けられたそのような情報を、取得し得る。
【００５６】
ステップ７０４のように、ネットワーク・エンティティ６００は、拡張時間期間に従って維持されたＰＰＰ接続を含むＰＰＰセッションを確立し得る。例えば、通信確立動作６１４を実行する処理回路６０２（例えば、通信確立器６０８）は、ＰＰＰセッションを確立するために、通信用インターフェース６０４経由でそれぞれのアクセス端末と通信し得、ここで、ＰＰＰ接続は、拡張時間期間に従って維持される。ＰＰＰセッションの確立は、ネットワーク・エンティティ６００によって開始され得る、またはＰＰＰセッションの確立は、それぞれのアクセス端末によって開始され得る。ＰＰＰの確立手順は、データ・リンクを確立することと、アクセス端末を認証することとを含み得、アクセス端末とサーバとの間でデータを通信するためのＰＰＰ接続によるＰＰＰセッションの作成をもたらす。
【００５７】
典型的に、アクセス端末がパワーダウンすると、パワーダウン登録メッセージが、それぞれのアクセス端末によってネットワークに送信される。従来のアクセス通信システムにおいて、そのアクセス端末に関連付けられた任意のＰＰＰセッションは、一般的に削除される。少なくとも１つのオプション機能（optional feature）に従って、ネットワーク・エンティティ６００は、拡張時間期間の継続時間のための任意の関連したＰＰＰセッションに関するそのようなパワーダウン登録メッセージを無視することができる。例えば、ネットワーク・エンティティ６００は、拡張時間期間中に、ステップ７０６において、確立されたＰＰＰセッションに関連付けられたアクセス端末からパワーダウン登録メッセージを受信し得る。少なくとも一例において、通信確立動作６１４を実行する処理回路６０２（例えば、通信確立器６０８）は、通信用インターフェース６０４経由でパワーダウン登録メッセージを受信し得る。
【００５８】
パワーダウン登録メッセージが拡張時間期間中に受信されると、ネットワーク・エンティティ６００は、ステップ７０８においてＰＰＰセッション目的のために受信されたメッセージを無視することができる。例えば、通信確立動作６１４を実行する処理回路６０２（例えば、通信確立器６０８）は、パワーダウン登録メッセージが拡張時間期間中に受信されたと決定し得る。この決定に応じて、通信確立動作６１４を実行する処理回路６０２（例えば、通信確立器６０８）は、ＰＰＰセッション目的のために受信されたパワーダウン登録メッセージを無視することができる。言い換えれば、ネットワーク・エンティティ６００は、パワーダウン登録メッセージが受信されるアクセス端末に関連付けられたＰＰＰセッションを解体することを回避することができる。しかしながら、ネットワーク・エンティティ６００は、それぞれのアクセス端末のためのページ・メッセージの送信を停止するような、そのようなパワーダウン登録メッセージに応じて他の従来の手順を依然として実行するだけでなく、受信されたパワーダウン登録メッセージに応じて他の従来の手順も実行し得る。
【００５９】
上記説明された態様、配置、および実施形態は具体的な詳細および特殊性（particularity）に記載されているが、図１、２、３、４、５、６および／または７において例示されたコンポーネント、ステップ、特徴および／または機能のうちの１つ以上は、単一のコンポーネント、ステップ、特徴、または機能に再配置および／または組み合わせられ得る、またはいくつかのコンポーネント、ステップ、または機能において具体化され得る。さらなる要素、コンポーネント、ステップ、および／または機能もまた、本発明から逸脱せずに追加され得、または利用され得ない。図１、２、３、４および／または６に例示された装置、デバイス、および／またはコンポーネントは、図３、５および／または７に記載された方法、特徴、パラメータ、および／またはステップのうちの１つ以上を実行または使用するように構成され得る。 本明細書に記載された新たなアルゴリズムもまた、効果的にソフトウェアにおいて実現され得る、および／またはハードウェアに組み込まれ得る。
【００６０】
また、少なくともいくつかの実現が、フローチャート、フロー図、構造図、もしくはブロック図として描かれる処理として記載されていることに注意されたい。フローチャートはシーケンシャル処理として動作を記載し得るが、動作の多くは並行で、または同時に実行されることができる。加えて、動作の順序は再配置され得る。処理は、その動作が完了した時に終了する。処理は、方法、関数、手順、サブルーティン、サブプログラム、等に対応しうる。処理が関数に対応する場合、その終了は、この関数が呼び出し関数またはメイン関数に戻ることに対応する。本明細書に記載された様々な方法が、機械可読記憶媒体、コンピュータ可読記憶媒体、および／またはプロセッサ可読記憶媒体において記憶され得るプログラミング（例えば、命令および／またはデータ）によって部分的に、あるいは完全に実現され得、１つ以上のプロセッサ、機械、および／またはデバイスによって実行され得る。
【００６１】
当業者はさらに、本明細書に開示された実施形態と関連して記載された様々な実例となる論理ブロック、モジュール、回路、アルゴリズム・ステップが、ソフトウェア、ファームウェア、ミドルウェア、マイクロコード、またはそれらの任意の組み合わせとして実現され得ることを理解するであろう。この互換性を明確に例示するために、様々な例示的なコンポーネント、ブロック、モジュール、回路、およびステップが、一般的にそれらの機能の観点から上述されている。このような機能が、ハードウェアとして実現されるか、あるいはソフトウェアとして実現されるかは、特定のアプリケーションおよびシステム全体に課せられる設計制約に依存する。
【００６２】
本明細書に記載され、添付図面に示された例に関連付けられた様々な特徴は、本開示の範囲から逸脱することなく異なる例および実施において実現されることができる。従って、ある特定の構成および配置は添付図面に記載され、示されているが、記載された実施形態に対する様々な他の追加および変更、ならびに記載された実施形態からの削除は当業者には明らかであるため、そのような実施形態は、単なる実例にすぎず、本開示の範囲に限定的ではない。よって、本開示の範囲は、以下の特許請求の範囲のリテラル言語（literal language）、および法的に同等のもの（legal equivalents）によってのみ決定される。
【図１】
2015508965.tif 000003
【図２】
2015508965.tif 000004
【図３】
2015508965.tif 000005
【図４】
2015508965.tif 000006
【図５】
2015508965.tif 000007
【図６】
2015508965.tif 000008
【図７】
2015508965.tif 000009
【国際調査報告】
2015508965.tif 000010
2015508965.tif 000011
2015508965.tif 000012